(57)【特許請求の範囲】
【請求項１】
表示画像データを読み込む画像読込手段と、
前記表示画像データに基づく表示画像を表示する表示手段と、
前記表示画像データに含まれる白色領域を検出し、検出された白色領域に基づいて、前記表示手段に表示される表示画像で白色領域が占有する面積である白色領域面積を算出する算出手段と、
前記算出手段により算出された前記白色領域面積と、予め設定された白色領域面積に関する閾値とを比較して判定する判定手段と、
前記判定手段による判定結果に従い、前記表示手段による表示画像の表示を制御する制御手段と、
前記判定手段による判定結果に基づいて、前記表示手段にて白色領域及び他の色の領域で点灯する点灯時間を設定する点灯時間設定手段と
を備え、
前記制御手段は、前記点灯時間設定手段により前記白色領域面積が大きいほど短く設定された前記点灯時間に基づいて、タイマを用いて前記表示手段による白色領域及び他の色の領域での点灯動作を制御することにより、前記表示手段による表示画像の表示を制御する
ことを特徴とする情報処理装置。
【請求項２】
前記判定手段による判定結果に基づいて、前記表示画像データに基づく表示画像を縮小する際に用いられる縮小倍率を設定する縮小倍率設定手段と、
前記縮小倍率設定手段により設定された前記縮小倍率を用いて、前記表示画像データに基づく表示画像を縮小する画像縮小手段と
をさらに備え、
前記制御手段は、前記画像縮小手段により縮小された前記表示画像データに基づく表示画像を用いて、前記表示手段による表示画像の表示を制御することを特徴とする請求項１に記載の情報処理装置。
【請求項３】
前記表示手段は、有機ＥＬからなることを特徴とする請求項１に記載の情報処理装置。
【請求項４】
前記表示画像データに含まれる白色領域を検出する検出手段と、
読み込まれた表示画像データに含まれる白色領域の色を変換する際に用いられる変換色を設定する設定手段と、
前記設定手段により設定された前記変換色に関する設定データに基づいて、読み込まれた表示画像データに含まれる白色領域における色を前記変換色に変換する変換手段と
をさらに備え、
前記表示手段は、前記変換手段による変換後の前記表示画像データに基づく表示画像を表示することを特徴とする請求項１に記載の情報処理装置。
【発明の詳細な説明】
【技術分野】
【０００１】
本発明は情報処理装置に係り、特に、ディスプレイとして有機ＥＬを用いた情報処理装置に関する。
【背景技術】
【０００２】
最近、携帯電話機やＰＤＡ（Personal Digital Assistant）、ディジタルカメラなどの種々の電子機器の中で、有機ＥＬをディスプレイとして用いたものが提案されている。有機ＥＬ（Electronic Luminescent）は、電圧をかけると発光する有機物質を利用して表示するディスプレイである。この有機ＥＬでは、例えばジアミン類などの有機体をガラス面に蒸着させ、それ自体が発光する。そのため、ディスプレイの厚みを従来よりも薄くすることが可能となる。
【０００３】
この有機ＥＬは、有機ＥＬにて消費される消費電流が表示画像の色によって大きく変化するという特性がある。具体的には、同じ表示面積を有する表示画像であっても、表示画像の色に白色の部分が多ければ多いほど、有機ＥＬにて消費される消費電流は大きくなる。反対に、表示画像の色に黒色の部分が多ければ、有機ＥＬに消費される消費電流は小さくなる。
【０００４】
なお、有機ＥＬにて消費される消費電流を低減する技術も提案されている（例えば特許文献１参照）。特許文献１に提案されている技術によれば、各画素の色相の情報に基づいて、発光効率の低い色（例えば赤）を減らし、かつ、発光効率の高い色（例えば緑）が増えるような色相変換値を算出することができる。
【特許文献１】特開２００７−１４８０６５号公報
【発明の開示】
【発明が解決しようとする課題】
【０００５】
しかしながら、従来からディスプレイとして用いられる液晶ディスプレイに比べ、有機ＥＬにて消費される消費電流は大きく、有機ＥＬにて消費される消費電流を如何に削減するかが問題となる。この消費電流の削減に関しては、電池容量が制限される携帯電話機などにおいては特に問題となる。勿論、特許文献１に提案されている技術を用いれば、発光効率の低い色（例えば赤）を減らし、かつ、発光効率の高い色（例えば緑）が増えるような色相変換値を算出することにより、有機ＥＬにて消費される消費電流を低減することは可能となるが、有機ＥＬにて消費される消費電流を十分に削減することは困難であった。
【０００６】
本発明は、このような状況に鑑みてなされたものであり、ディスプレイとして用いられる有機ＥＬにて消費される消費電流を好適に削減することができる情報処理装置を提供することを目的とする。
【課題を解決するための手段】
【０００７】
本発明の情報処理装置は、上述した課題を解決するために、表示画像データを読み込む画像読込手段と、前記表示画像データに基づく表示画像を表示する表示手段と、前記表示画像データに含まれる白色領域を検出し、検出された白色領域に基づいて、前記表示手段に表示される表示画像で白色領域が占有する面積である白色領域面積を算出する算出手段と、前記算出手段により算出された前記白色領域面積と、予め設定された白色領域面積に関する閾値とを比較して判定する判定手段と、前記判定手段による判定結果に従い、前記表示手段による表示画像の表示を制御する制御手段と、前記判定手段による判定結果に基づいて、前記表示手段にて白色領域及び他の色の領域で点灯する点灯時間を設定する点灯時間設定手段とを備え、前記制御手段は、前記点灯時間設定手段により前記白色領域面積が大きいほど短く設定された前記点灯時間に基づいて、タイマを用いて前記表示手段による白色領域及び他の色の領域での点灯動作を制御することにより、前記表示手段による表示画像の表示を制御することを特徴とする。
【発明の効果】
【０００９】
本発明によれば、ディスプレイとして用いられる有機ＥＬにて消費される消費電流を好適に削減することができる。
【発明を実施するための最良の形態】
【００１０】
以下、本発明の実施の形態について、図面を参照しながら説明する。
【００１１】
［第１実施形態］
図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１２】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１３】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１４】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１５】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１６】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１７】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００１８】
なお、第１の筐体１２は、背面側に図示しないバッテリパックが挿着されており、終話・電源キーがオン状態になると、バッテリパックから各回路部に対して電力が供給されて動作可能な状態に起動する。
【００１９】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはスピーカ１８が設けられており、これにより、ユーザは音声通話することが可能である。
【００２０】
また、第１の筐体１２と第２の筐体１３の内部の所定の位置には、携帯電話機１の状態を検知するための磁気センサ１９a、１９b、１９c、および１９dが設けられる。
【００２１】
なお、メインディスプレイ１７は、有機ＥＬにより構成されるディスプレイである。
【００２２】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２３】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２４】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００２５】
なお、サブディスプレイ２１も、メインディスプレイ１７と同様に、有機ＥＬにより構成されるディスプレイである。
【００２６】
図３は、本発明に係る情報処理装置に適用可能な携帯電話機１の内部の構成を表している。
【００２７】
図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２８】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２９】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００３０】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、スピーカ１８により出力される。
【００３１】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００３２】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００３３】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３４】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３５】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３６】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００３７】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３８】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３９】
電源回路４４は、バッテリ４３の出力を基に所定の動作電源電圧Ｖｃｃを生成して各回路部に供給する。
【００４０】
図４は、図１の携帯電話機１の制御部４１が実行することができる機能的な構成を表している。
【００４１】
画像読込部５１は、画像表示部５８に表示するための表示画像データを記憶部４２などから読み込み、読み込まれた表示画像データを画像白色領域検出部５２、画像表示部５８、および画像縮小部６０に供給する。画像白色領域検出部５２は、画像読込部５１から供給された表示画像データ（画像表示部５８に表示するための表示画像データ）を取得し、取得された表示画像データに含まれる白色領域を検出する。例えば表示画像データに含まれる画素値（例えば０乃至２５５）などに基づいて、表示画像に含まれる白色領域（白色部分）が検出される。画像白色領域検出部５２は、検出された表示画像データに含まれる白色領域に関するデータを白色領域面積算出部５３に供給する。
【００４２】
白色領域面積算出部５３は、画像白色領域検出部５２から供給された白色領域に関するデータを取得し、取得された白色領域に関するデータに基づいて、検出された白色領域の面積である白色領域面積を算出し、算出された白色領域面積に関するデータを白色領域面積判定部５４に供給する。
【００４３】
白色面積判定部５４は、白色領域面積算出部５３から供給された白色領域面積に関するデータを取得するとともに、予め設定されている白色領域面積に関する閾値を記憶部４２から読み出し、読み出された白色領域面積に関する閾値を参照して、算出された白色領域面積に関するデータに基づいて、白色領域面積に関する閾値と、算出された白色領域面積とを比較して判定する。白色領域面積判定部５４は、この判定結果を点灯時間設定部５５および画像縮小倍率設定部５９に供給する。
【００４４】
点灯時間設定部５５は、白色領域面積判定部５４から供給された判定結果（白色領域面積に関する判定結果）を取得し、取得された判定結果に基づいて、画像表示部５８にて白色領域で点灯する時間である点灯時間を設定し、設定された点灯時間に関する設定データを点灯時間判定部５６に供給する。
【００４５】
点灯時間判定部５６は、点灯時間設定部５５から供給された白色領域における点灯時間に関する設定データを取得し、白色領域における点灯時間に関する設定データに基づいて、時計回路４７により計測される現在の時刻を用いて、白色領域における点灯時間を経過したか否かを判定し、その判定結果を点灯制御部５７に供給する。
【００４６】
点灯制御部５７は、点灯時間判定部５６から供給された判定結果（白色領域における点灯時間を経過したか否かに関する判定結果）を取得し、取得された判定結果に基づいて、画像表示部５８に表示される表示画像における白色領域での点灯を制御する。
【００４７】
画像表示部５８は、例えば図３の有機ＥＬにより構成されるメインディスプレイ１７やサブディスプレイ２１からなり、画像読込部５１から供給された表示画像データに基づく表示画像を表示する。
【００４８】
画像縮小倍率設定部５９は、白色領域面積判定部５４から供給された判定結果（白色領域面積に関する判定結果）を取得し、取得された判定結果に基づいて、画像表示部５８に白色領域を含めた表示画像を表示する際の縮小倍率を設定し、設定された縮小倍率に関する設定データを画像縮小部６０に供給する。
【００４９】
画像縮小部６０は、画像縮小倍率設定部５９から供給された縮小倍率に関する設定データ（画像表示部５８に白色領域を含めた表示画像を表示する際の縮小倍率に関する設定データ）を取得し、取得された縮小倍率に関する設定データに基づいて、画像読込部５１にて読み込まれた表示画像データに基づく表示画像の占有面積を縮小する。
【００５０】
次に、図５のフローチャートを参照して、図４の携帯電話機１における画像表示処理について説明する。この画像表示処理は、画像読込部５１にて画像表示部５８に表示するための表示画像データが記憶部４２などから読み込まれる度に開始される。
【００５１】
ステップＳ１において、画像読込部５１は、画像表示部５８に表示するための表示画像データを記憶部４２などから読み込み、読み込まれた表示画像データを画像白色領域検出部５２、画像表示部５８、および画像縮小部６０に供給する。勿論、記憶部４２に記憶されている表示画像データのみならず、例えばアンテナ３１を介して外部から取得された表示画像データや、メモリカード４６から取得された表示画像データに関して本発明を適用するようにしてもよい。
【００５２】
ステップＳ２において、画像白色領域検出部５２は、画像読込部５１から供給された表示画像データ（画像表示部５８に表示するための表示画像データ）を取得し、取得された表示画像データに含まれる白色領域を検出する。例えば表示画像データに含まれる画素値（例えば０乃至２５５）などに基づいて、表示画像に含まれる白色領域（白色部分）が検出される。画像白色領域検出部５２は、検出された表示画像データに含まれる白色領域に関するデータを白色領域面積算出部５３に供給する。
【００５３】
ステップＳ３において、白色領域面積算出部５３は、画像白色領域検出部５２から供給された白色領域に関するデータを取得し、取得された白色領域に関するデータに基づいて、検出された白色領域の面積である白色領域面積ｘ（すなわち、表示画像データに基づく表示画像中において白色領域が占有する面積）を算出する。白色領域算出部５３は、算出された白色領域面積ｘに関するデータを白色領域面積判定部５４に供給する。
【００５４】
ステップＳ４において、白色面積判定部５４は、白色領域面積算出部５３から供給された白色領域面積ｘに関するデータを取得するとともに、予め設定されている白色領域面積に関する閾値を記憶部４２から読み出し、読み出された白色領域面積に関する閾値を参照して、算出された白色領域面積ｘに関するデータに基づいて、白色領域面積に関する閾値と、算出された白色領域面積ｘとを比較して判定する。
【００５５】
具体的には、白色領域面積に関する閾値として例えば閾値ａと閾値ｂが予め設定されており（閾値ａ＜閾値ｂ）、これらの白色領域面積に関する閾値と、算出された白色領域面積ｘの大小が比較されて判定される。すなわち、ステップＳ４の判定処理においては、白色領域面積に関する閾値ａと、算出された白色領域面積ｘの大小が比較されて判定される。
【００５６】
勿論、白色領域面積に関する閾値として３つ以上の閾値（例えば閾値ａ、ｂ、ｃなど）を予め設定するようにして、算出された白色領域面積ｘをより細かく比較判定するようにしてもよい。また、白色領域面積に関する閾値として所定の値ではなく、ある程度の範囲を閾値として設定するようにしてもよい。
【００５７】
白色領域面積判定部５４は、この判定結果を点灯時間設定部５５および画像縮小倍率設定部５９に供給する。
【００５８】
ステップＳ４において算出された白色領域面積ｘが白色領域面積に関する閾値ａよりも小さいと判定された場合、点灯時間設定部５５はステップＳ５で、白色領域面積判定部５４から供給された判定結果（白色領域面積に関する判定結果）を取得し、取得された判定結果に基づいて、画像表示部５８にて白色領域で点灯する時間である点灯時間を設定する。
【００５９】
具体的には、本発明の実施形態においては、白色領域面積に関する閾値として例えば閾値ａと閾値ｂが予め設定されており（閾値ａ＜閾値ｂ）、例えば図６のテーブルに示されるように、算出された白色領域面積ｘが白色領域面積に関する閾値ａよりも小さい場合、表示画像の色に白色の部分が少ないために有機ＥＬにて消費される消費電流は小さくなることから、画像表示部５８にて白色領域で点灯する時間である点灯時間が「ｔ１」に設定される。
【００６０】
なお、図６のテーブルは白色領域面積と設定される点灯時間との対応関係を示しており、例えば算出された白色領域面積ｘが白色領域面積に関する閾値ａよりも小さい場合、画像表示部５８にて白色領域で点灯する時間である点灯時間が「ｔ１」に設定され、算出された白色領域面積ｘが白色領域面積に関する閾値ａ以上で、かつ、閾値ｂ以下である場合、画像表示部５８にて白色領域で点灯する時間である点灯時間が「ｔ２」に設定され、算出された白色領域面積ｘが白色領域面積に関する閾値ｂよりも大きい場合、画像表示部５８にて白色領域で点灯する時間である点灯時間が「ｔ３」に設定されることを示している。このときに設定される点灯時間ｔ１乃至ｔ３には、「ｔ１＞ｔ２＞ｔ３」の関係がある。すなわち、表示画像の色に白色の部分が多ければ多いほど、ディスプレイとしての有機ＥＬにて消費される消費電流は大きくなることから、点灯時間は短く設定される。
【００６１】
点灯時間設定部５５は、設定された点灯時間に関する設定データを点灯時間判定部５６に供給する。
【００６２】
ステップＳ６において、画像表示部５８は、画像表示部５８にて白色領域で点灯する時間である点灯時間が「ｔ１」に設定された後、画像読込部５１から供給された表示画像データに基づく表示画像を表示する。
【００６３】
ステップＳ７において、点灯時間判定部５６は、点灯時間設定部５５から供給された白色領域における点灯時間に関する設定データを取得し、白色領域における点灯時間に関する設定データに基づいて、時計回路４７により計測される現在の時刻を用いて、白色領域における点灯時間「ｔ１」を経過したか否かを判定する。
【００６４】
例えば算出された白色領域面積ｘが白色領域面積に関する閾値ａよりも小さい場合、画像表示部５８にて白色領域で点灯する時間である点灯時間が「ｔ１」に設定されることから、画像表示部５８にて白色領域で点灯動作が開始されてから時間「ｔ１」が経過したか否かが判定される。
【００６５】
点灯時間判定部５６は、その判定結果を点灯制御部５７に供給する。
【００６６】
ステップＳ７において白色領域における点灯時間「ｔ１」を経過していないと判定された場合、点灯制御部５７はステップＳ８で、画像表示部５８を制御し、画像表示部５８にて白色領域での点灯動作を継続する。その後、処理はステップＳ７に戻り、ステップＳ７において点灯時間判定処理が繰り返し実行される。
【００６７】
一方、ステップ７において白色領域における点灯時間「ｔ１」を経過したと判定された場合、点灯制御部５７はステップＳ９で、画像表示部５８を制御し、画像表示部５８にて白色領域での点灯動作を一時的に停止し、画像表示部５８における表示モードを省電力モードに移行させる。例えば表示画面上における点灯が一時的に停止されて暗くなり、スリープ状態へとなる。
【００６８】
その後、処理はステップＳ１に戻り、ステップＳ１以降の処理が繰り返し実行される。これにより、画像読込部５１に表示画像データが読み込まれるごとに、表示画像データに含まれる白色領域面積が算出され、点灯時間が設定された上で画像表示処理が実行される。
【００６９】
一方、ステップＳ４において算出された白色領域面積ｘが白色領域面積に関する閾値ａよりも小さくないと判定された場合（すなわち、算出された白色領域面積ｘが白色領域面積に関する閾値ａ以上であると判定された場合）、白色領域面積判定部５４はステップＳ１０で、読み出された白色領域面積に関する閾値を参照して、算出された白色領域面積ｘに関するデータに基づいて、白色領域面積に関する閾値ａと閾値ｂと、算出された白色領域面積ｘとを比較して判定する。すなわち、ステップＳ１０においては、算出された白色領域面積ｘが、白色領域面積に関する閾値ａ以上で、かつ、閾値ｂ以下である否かが判定される。
【００７０】
ステップＳ１０において算出された白色領域面積ｘが、白色領域面積に関する閾値ａ以上で、かつ、閾値ｂ以下であると判定された場合、点灯時間設定部５５はステップＳ１１で、白色領域面積判定部５４から供給された判定結果（白色領域面積に関する判定結果）を取得し、取得された判定結果に基づいて、画像表示部５８にて白色領域で点灯する時間である点灯時間を設定する。
【００７１】
具体的には、算出された白色領域面積ｘが白色領域面積に関する閾値ａ以上で、かつ、閾値ｂ以上である場合、画像表示部５８にて白色領域で点灯する時間である点灯時間が「ｔ２」に設定される。点灯時間設定部５５は、設定された点灯時間に関する設定データを点灯時間判定部５６に供給する。
【００７２】
ステップＳ１２において、画像表示部５８は、画像表示部５８にて白色領域で点灯する時間である点灯時間が「ｔ２」に設定された後、画像読込部５１から供給された表示画像データに基づく表示画像を表示する。
【００７３】
ステップＳ１３において、点灯時間判定部５６は、点灯時間設定部５５から供給された白色領域における点灯時間に関する設定データを取得し、白色領域における点灯時間に関する設定データに基づいて、時計回路４７により計測される現在の時刻を用いて、白色領域における点灯時間「ｔ２」を経過したか否かを判定する。
【００７４】
例えば算出された白色領域面積ｘが白色領域面積に関する閾値ａ以上で、かつ、閾値ｂ以下である場合、画像表示部５８にて白色領域で点灯する時間である点灯時間が「ｔ２」に設定されることから、画像表示部５８にて白色領域で点灯動作が開始されてから時間「ｔ２」が経過したか否かが判定される。点灯時間判定部５６は、その判定結果を点灯制御部５７に供給する。
【００７５】
ステップＳ１３において白色領域における点灯時間「ｔ２」を経過していないと判定された場合、点灯制御部５７はステップＳ１４で、画像表示部５８を制御し、画像表示部５８にて白色領域での点灯動作を継続する。その後、処理はステップＳ１３に戻り、ステップＳ１３において点灯時間判定処理が繰り返し実行される。
【００７６】
一方、ステップ１３において白色領域における点灯時間「ｔ２」を経過したと判定された場合、点灯制御部５７はステップＳ１５で、画像表示部５８を制御し、画像表示部５８にて白色領域での点灯動作を一時的に停止し、画像表示部５８における表示モードを省電力モードに移行させる。例えば表示画面上における点灯が一時的に停止されて暗くなり、スリープ状態へとなる。
【００７７】
その後、処理はステップＳ１に戻り、ステップＳ１以降の処理が繰り返し実行される。
【００７８】
一方、ステップＳ１０において算出された白色領域面積ｘが、白色領域面積に関する閾値ａ以上で、かつ、閾値ｂ以下ではないと判定された場合（すなわち、算出された白色領域面積ｘが、白色領域面積に関する閾値ｂよりも大きいと判定された場合）、点灯時間設定部５５はステップＳ１６で、白色領域面積判定部５４から供給された判定結果（白色領域面積に関する判定結果）を取得し、取得された判定結果に基づいて、画像表示部５８にて白色領域で点灯する時間である点灯時間を設定する。
【００７９】
具体的には、算出された白色領域面積ｘが白色領域面積に関する閾値ｂよりも大きい場合、画像表示部５８にて白色領域で点灯する時間である点灯時間が「ｔ３」に設定される。点灯時間設定部５５は、設定された点灯時間に関する設定データを点灯時間判定部５６に供給する。
【００８０】
その後、ステップＳ１７乃至Ｓ２０の処理においては、ステップＳ６乃至Ｓ９またはステップＳ１２乃至Ｓ１５の処理と同様に、設定された点灯時間「ｔ３」に基づいて点灯制御部５７にて点灯動作の制御がなされる。
【００８１】
本発明の実施形態においては、表示画像データを読み込み、表示画像データに基づく表示画像を画像表示部５８に表示し、表示画像データに含まれる白色領域を検出し、検出された白色領域に基づいて、画像表示部５８に表示される表示画像で白色領域が占有する面積である白色領域面積を算出し、算出された白色領域面積と、予め設定された白色領域面積に関する閾値とを比較して判定し、その判定結果に基づいて、表示手段にて白色領域で点灯する点灯時間を設定し、設定された点灯時間に基づいて、タイマを用いて表示手段による白色領域での点灯動作を制御することにより、画像表示部５８による表示画像の表示を制御することができる。これにより、読み込まれた表示画像データに含まれる白色領域が画像表示部５８（メインディスプレイ１７またはサブディスプレイ２１にディスプレイとして用いられる有機ＥＬ）において占有する面積に応じて、点灯動作の時間を設定して点灯動作を制御することができ、画像表示部５８に消費される消費電流を好適に削減することができる。
【００８２】
なお、本発明の実施形態においては、ディスプレイとしての有機ＥＬにて消費される消費電流が白色に関して大きいことから、表示画像データに含まれる白色領域を検出するようにしたが、このような場合に限られず、白色よりも消費電流は大きくないが、相対的に他の色の中で消費電流が大きい色の領域を検出するようにしてもよい。
【００８３】
ところで、図５のフローチャートを参照して説明した画像表示処理においては、読み込まれた表示画像データに含まれる白色領域が画像表示部５８において占有する面積に応じて、点灯動作の時間を設定して点灯動作を制御するようにしているが、このような場合に限られず、例えば表示画像データに含まれる白色領域が多い場合に、表示画像を縮小して表示するようにしてもよい。これにより、画像表示部５８に消費される消費電流を好適に削減することができる。以下、この方法を用いた画像表示処理について説明する。
【００８４】
図７のフローチャートを参照して、図４の携帯電話機１における他の画像表示処理について説明する。なお、図７のステップＳ３１乃至Ｓ３４、およびステップＳ３８の処理は、図５のステップＳ１乃至Ｓ４、およびステップＳ１０の処理と同様であり、その説明は繰り返しになるので省略する。
【００８５】
ステップＳ３４において算出された白色領域面積ｘが白色領域面積に関する閾値ａよりも小さいと判定された場合、画像縮小倍率設定部５９はステップＳ３５で、白色領域面積判定部５４から供給された判定結果（白色領域面積に関する判定結果）を取得し、取得された判定結果に基づいて、画像表示部５８に白色領域を含めた表示画像を表示する際の縮小倍率を設定し、設定された縮小倍率に関する設定データを画像縮小部６０に供給する。
【００８６】
具体的には、本発明の実施形態においては、白色領域面積に関する閾値として例えば閾値ａと閾値ｂが予め設定されており（閾値ａ＜閾値ｂ）、例えば図８のテーブルに示されるように、算出された白色領域面積ｘが白色領域面積に関する閾値ａよりも小さい場合、表示画像の色に白色の部分が少ないために有機ＥＬにて消費される消費電流は小さくなることから、画像表示部５８に白色領域を含めた表示画像を表示する際の縮小倍率が「ｎ１」に設定される。
【００８７】
なお、図８のテーブルは白色領域面積と設定される点灯時間との対応関係を示しており、例えば算出された白色領域面積ｘが白色領域面積に関する閾値ａよりも小さい場合、画像表示部５８に白色領域を含めた表示画像を表示する際の縮小倍率が「ｎ１」に設定され、算出された白色領域面積ｘが白色領域面積に関する閾値ａ以上で、かつ、閾値ｂ以下である場合、画像表示部５８に白色領域を含めた表示画像を表示する際の縮小倍率が「ｎ２」に設定され、算出された白色領域面積ｘが白色領域面積に関する閾値ｂよりも大きい場合、画像表示部５８に白色領域を含めた表示画像を表示する際の縮小倍率が「ｎ３」に設定されることを示している。このときに設定される縮小倍率ｎ１乃至ｎ３には、「ｎ３＞ｎ２＞ｎ１」の関係がある。すなわち、表示画像の色に白色の部分が多ければ多いほど、ディスプレイとしての有機ＥＬにて消費される消費電流は大きくなることから、縮小倍率は大きく設定される。例えばｎ１＝１、ｎ２＝２、ｎ３＝３などのように設定される。
【００８８】
画像縮小倍率設定部５９は、設定された縮小倍率に関する設定データを画像縮小部６０に供給する。
【００８９】
ステップＳ３６において、画像縮小部６０は、画像縮小倍率設定部５９から供給された縮小倍率に関する設定データ（画像表示部５８に白色領域を含めた表示画像を表示する際の縮小倍率に関する設定データ）を取得し、取得された縮小倍率に関する設定データに基づいて、画像読込部５１にて読み込まれた表示画像データに基づく表示画像を縮小し、画像読込部５１にて読み込まれた表示画像データに基づく表示画像の占有面積を縮小する。具体的には、ステップＳ３６においては、縮小倍率ｎ１を用いて、画像読込部５１にて読み込まれた表示画像データに基づく原表示画像が１／ｎ１に縮小される。勿論、原表示画像の縮小処理に関しては、段階的に行うようにしてもよい。
【００９０】
ステップＳ３７において、画像表示部５８は、画像読込部５１から供給された表示画像データに基づく原表示画像に関して１／ｎ１に縮小された表示画像を表示する。なお、原表示画像を縮小して表示した後、ユーザにより操作キー１４のうち特定の操作キーが押下されることにより、白色領域を考慮しないで通常の原表示画像を表示するように戻るようにしてもよい。
【００９１】
一方、ステップＳ３４において算出された白色領域面積ｘが白色領域面積に関する閾値ａよりも小さくないと判定された場合（すなわち、算出された白色領域面積ｘが白色領域面積に関する閾値ａ以上であると判定された場合）、読み出された白色領域面積に関する閾値を参照して、算出された白色領域面積ｘに関するデータに基づいて、白色領域面積に関する閾値ａと閾値ｂと、算出された白色領域面積ｘとを比較して判定する。すなわち、ステップＳ３８においては、算出された白色領域面積ｘが、白色領域面積に関する閾値ａ以上で、かつ、閾値ｂ以下である否かが判定される。
【００９２】
ステップＳ３８において算出された白色領域面積ｘが、白色領域面積に関する閾値ａ以上で、かつ、閾値ｂ以下であると判定された場合、処理はステップＳ３９に進み、ステップＳ３９以降の処理において画像表示部５８に白色領域を含めた表示画像を表示する際の縮小倍率が「ｎ２」に設定され、画像読込部５１から供給された表示画像データに基づく原表示画像に関して１／ｎ２に縮小された表示画像が表示される。例えばｎ２＝２の場合、表示画像データに基づく原表示画像に関して１／２に縮小された表示画像が表示される。
【００９３】
一方、ステップＳ３８において算出された白色領域面積ｘが、白色領域面積に関する閾値ａ以上で、かつ、閾値ｂ以下ではないと判定された場合（すなわち、算出された白色領域面積ｘが、白色領域面積に関する閾値ｂよりも大きいと判定された場合）、処理はステップＳ４２に進み、ステップＳ４２以降の処理において画像表示部５８に白色領域を含めた表示画像を表示する際の縮小倍率が「ｎ３」に設定され、画像読込部５１から供給された表示画像データに基づく原表示画像に関して１／ｎ３に縮小された表示画像が表示される。例えばｎ３＝３の場合、表示画像データに基づく原表示画像に関して１／３に縮小された表示画像が表示される。なお、原表示画像が縮小された際には、縮小された表示画像の外延領域は例えば消費電流の少ない黒色などで表示されるようにしてもよい。
【００９４】
これにより、表示画像データに含まれる白色領域に応じて表示画像そのものを縮小することができ、画像表示部５８に消費される消費電流を好適に削減することができる。
【００９５】
なお、本発明の第１実施形態においては、読み込まれた表示画像データに含まれる白色領域の色（すなわち、白色）を変化させることなく、画像表示部５８に消費される消費電流を削減するようにしたが、読み込まれた表示画像データに含まれる白色領域の色（すなわち、白色）を、白色より消費電流の少ない色（例えば赤色や青色、緑色など）に変化させるようにして画像表示部５８に消費される消費電流を削減するようにしてもよい。以下、この方法を用いた本発明に係る第２実施形態について説明する。
【００９６】
［第２実施形態］
図９は、図１の携帯電話機１の制御部４１が実行することができる機能的な構成を表している。なお、携帯電話機１の外観の構成および内部の構成に関しては、図１乃至図３に示される構成と同様であり、その説明は繰り返しになるので省略する。また、図４の構成と対応するものについては同一の符号を付しており、その説明は繰り返しになるので省略する。
【００９７】
変換色設定部６１は、読み込まれた表示画像データに含まれる白色領域の色（すなわち、白色）を、白色より消費電流の少ない色に変換する際に用いられる変換色を設定し、設定された変換色に関する設定データを色変換部６２に供給する。
【００９８】
色変換部６２は、変換色設定部６１から供給された変換色に関する設定データを取得するとともに、画像白色領域検出部５２から供給された白色領域に関するデータを取得し、取得された変換色に関する設定データおよび白色領域に関するデータに基づいて、読み込まれた表示画像データに含まれる白色領域における色を白色から予め設定された変換色に変換する。色変換部６２は、表示画像データに含まれる白色領域を予め設定された変換色に変換した後の表示画像データを画像表示部５８に供給する。
【００９９】
次に、図１０のフローチャートを参照して、図９の携帯電話機１における画像表示処理について説明する。なお、図１０のステップＳ５１乃至Ｓ５２の処理は、図５のステップＳ１乃至Ｓ２の処理と同様であり、その説明は繰り返しになるので省略する。
【０１００】
ステップＳ５３において、変換色設定部６１は、ユーザにより操作キー１４が操作されることにより、読み込まれた表示画像データに含まれる白色領域の色（すなわち、白色）を、白色より消費電流の少ない色に変換する際に用いられる変換色を設定し、設定された変換色に関する設定データを色変換部６２に供給する。
【０１０１】
例えばディスプレイとしての有機ＥＬにて消費される消費電流（ｍＡ／ｈ）は、表示画像の色に応じて、黒：赤〜青〜緑：白＝１：１０〜２０：４０の比で表される。そこで、例えば白色より消費電流の少ない色に変換する際に用いられる変換色が「灰色」や「青色」などに設定される。勿論、変換色を設定する場合、携帯電話機１に設けられたタッチパネルなどを用いて変換色が任意の色に設定されるようにしてもよい。
【０１０２】
ステップＳ５４において、色変換部６２は、変換色設定部６１から供給された変換色に関する設定データを取得するとともに、画像白色領域検出部５２から供給された白色領域に関するデータを取得し、取得された変換色に関する設定データおよび白色領域に関するデータに基づいて、読み込まれた表示画像データに含まれる白色領域における色を白色から予め設定された変換色に変換する。
【０１０３】
例えば例えば白色より消費電流の少ない色に変換する際に用いられる変換色が「灰色」に設定された場合、表示画像データにおける白色領域での色が「白色」から変換色である「灰色」に変換される。このとき、表示画像データのうち白色領域以外では変換色には変換されない。
【０１０４】
色変換部６２は、表示画像データに含まれる白色領域を予め設定された変換色に変換した後の表示画像データを画像表示部５８に供給する。
【０１０５】
ステップＳ５５において、画像表示部５８は、色変換部６２から供給された変換色に変換後の表示画像データを取得し、取得された変換色に変換後の表示画像データに基づく表示画像を表示する。これにより、画像表示部５８に消費される消費電流をより好適に削減することができる。
【０１０６】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理情報処理装置にも適用することができる。
【０１０７】
また、本発明の実施形態において説明した一連の処理は、ソフトウェアにより実行させることもできるが、ハードウェアにより実行させることもできる。
【０１０８】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１０９】
【図１】本発明に係る情報処理装置に適用可能な携帯電話機の外観の構成を示す図。
【図２】本発明に係る情報処理装置に適用可能な携帯電話機の他の外観の構成を示す図。
【図３】本発明に係る情報処理装置に適用可能な携帯電話機の内部の構成を示すブロック図。
【図４】図３の制御部により実行することができる機能的な構成を示すブロック図。
【図５】図４の携帯電話機における画像表示処理を説明するフローチャート。
【図６】白色領域面積と点灯時間との対応関係を示すテーブル。
【図７】図４の携帯電話機における他の画像表示処理を説明するフローチャート。
【図８】白色領域面積と縮小倍率との対応関係を示すテーブル。
【図９】図３の制御部により実行することができる他の機能的な構成を示すブロック図。
【図１０】図９の携帯電話機における画像表示処理を説明するフローチャート。
【符号の説明】
【０１１０】
１…携帯電話機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、５１…画像読込部、５２…画像白色領域検出部、５３…白色領域面積算出部、５４…白色領域面積判定部、５５…点灯時間設定部、５６…点灯時間判定部、５７…点灯制御部、５８…画像表示部、５９…画像縮小倍率設定部、６０…画像縮小部、６１…変換色設定部、６２…色変換部。
【図１】
0005211587.tif 000002
【図２】
0005211587.tif 000003
【図３】
0005211587.tif 000004
【図４】
0005211587.tif 000005
【図５】
0005211587.tif 000006
【図６】
0005211587.tif 000007
【図７】
0005211587.tif 000008
【図８】
0005211587.tif 000009
【図９】
0005211587.tif 000010
【図１０】
0005211587.tif 000011